(57)【要約】【課題】電磁波のエネルギーはなにによって決まるのか。原子の中、陽子、中間子、中性子、電子の中で光子はどのように回転し、どのようなエネルギーを作っているのか。ラブの大きさはどれだけか。ビッグバンの波長と引力とエネルギーはどれほどか。【解決手段】光子は原子の中で、陽子、中間子、中性子、電子の中で、一定の軌道上を回転し、一定のエネルギーを持っている。光子が回転する軌道は一定のエネルギーを持っている。光子はその軌道を回転し一定の電磁波を作っている。ラブの波長から大きさがわかる。ラブはビッグバンの以前の球でできたので、ビッグバンの以前を知る事ができる。ラブの大きさが約１０−２８ｃｍであることから、ブラックホールと対比させて引力やエネルギーの大きさを理解することができる。【選択図】図４
2004032973.tif 000002
【特許請求の範囲】
【請求項１】
電磁波のエネルギーは回転する直径できまる。
電磁波の原点は回転する軌道である。
【請求項２】
電磁波の波長の原点は光子が回転する軌道であり、波長は直径の２倍である。
【請求項３】
原子の中で光子が回転する軌道のエネルギーは一定である。原子の外側で、電子が回転している軌道のエネルギーは、軌道の直径を１０−１０ｍとすると、その軌道のエネルギーは１．１×１０−３１Ｊである。そしてその軌道上を回転する光子のエネルギーは１．１×１０−３１Ｊである。
原子核の周囲の軌道のエネルギーは、軌道の直径を１０−１４ｍとすると、その軌道のエネルギーは１．１×１０−２７Ｊである。そしてその軌道上を回転する光子のエネルギーは１．１×１０−２７Ｊである。
【請求項４】
陽子、中間子、中性子の中で光子が回転する軌道のエネルギーは一定である。
例えば、陽子の中の軌道は、軌道の直径を１０−１７ｍとすると、その軌道のエネルギーは１．１×１０−２４Ｊである。そしてその軌道上を回転する光子のエネルギーは１．１×１０−２４Ｊである。
軌道の直径を１０−１８ｍとすると、その軌道のエネルギーは１．１×１０−２３Ｊである。このように軌道の直径が１００億分の１ｍ狭くなると、エネルギーは１．１×１０Ｊずつ増す。
【請求項５】
ニュートリノは陽子、中間子、中性子、電子の中で回転していた光子が外に飛び出したものである。従って、その波長は回転していた直径の２倍、エネルギーは回転していた軌道のエネルギーである。
即ち、ニュートリノが陽子の中で、直径１０−１７ｍの軌道で回転していた光子であったなら、陽子から飛び出したばかりのニュートリノのエネルギーは１．１×１０−２４Ｊである。波長は２×１０−１７ｍである。
ニュートリノが陽子の中で、直径１０−１８ｍの軌道で回転していた光子であったなら、陽子から飛び出したばかりのニュートリノのエネルギーは１．１×１０−２３Ｊである。波長は２×１０−１８ｍである。
ニュートリノは回転していた軌道によってエネルギーは異なる。波長も異なる。
【請求項６】
γ線は原子の中、特に原子核の周囲で回転していた光子が外に飛び出したものである。従って、その波長は回転していた直径の２倍である。そのエネルギーは回転していた軌道のエネルギーである。
即ち、γ線が原子核の周囲直径１０−１４ｍの軌道で回転していた光子であったなら、原子から飛び出したばかりのγ線のエネルギーは１．１×１０−２７Ｊである。波長は２×１０−１４ｍである。
γ線が原子核の周囲直径１０−１３ｍの軌道で回転していた光子であったなら、原子から飛び出したばかりのγ線のエネルギーは１．１×１０−２８Ｊである。波長は２×１０−１３ｍである。
このように、γ線もどこの軌道から飛び出した光子であるかによって、エネルギーと波長は異なる。
このように電磁波の波長とエネルギーの原点は飛び出した軌道のエネルギーであり、直径の２倍が波長である。
【請求項７】
ラブの大きさはラブの波長によって計算できる。
ド・フロイの式から、ラブの質量は１．５７５×１０−２４ｇで、速度は１５万ｋｍ、光子の質量は７×１０−４８ｇで、速度は３０万ｋｍであるとすると、ラブの波長は４．７２５×１０−３０ｍである。よってラブの大きさ（回転直径）は２．３６×１０−３０ｍである。
【請求項８】
ラブの軌道エネルギーは、速度を１５万ｋｍとすると、０．９６×１０−１１Ｊである。
【請求項９】
ビッグバンの波長はどれ位であったか。
ラブの波長は４．７２５×１０−３０ｍであるからそれよりもっと短い。
【請求項１０】
ビッグバンの波長は１５０億年間に何倍に伸びたか。
ビッグバンの波長をラブの波長だと仮定すると、今２ｍｍになっているから、０．２÷（４．７２５×１０−２８）＝４．２３×１０２６およそ１０２６倍に伸びた。
【請求項１１】
ブラックホールの引力とビッグバンの引力。
ブラックホールの引力で中性子の大きさは１．４×１０−９倍になります。
ビッグバンの引力で中性子の大きさは１０−１５倍になっています。
ビッグバンの引力はブラックホールの引力の１０６倍です。
【請求項１２】
ビッグバンのエネルギーはブラックホールのエネルギーの何倍か。エネルギーは引力の１０２７倍ですから、ビッグバンのエネルギーはブラックホールのエネルギーの１０３３倍です。
【発明の詳細な説明】
【０００１】
【発明の属する技術分野】
本発明は電磁波のエネルギーは何で決まるか。原子の中で光子が回転している軌道のエネルギーについて。陽子、中間子、中性子の中で光子が回転している軌道のエネルギーについて。陽子、中間子、中性子の中央にあるラブの大きさと軌道エネルギーについて。ビッグバンの波長と引力とエネルギーについて。
【０００２】
【従来の技術】
従来、電子は原子核を回転している事は知られているが、陽子、中間子、中性子は光子の回転体である事は知られていない。電磁波はこれらの光子の回転によってできる事も理解されていない。ニュートリノ、γ線の波長らエネルギーは一定でない理由も理解されていない。ビッグバンの波長と引力とエネルギーについては解っていない。
【０００３】
【発明が解決しようとする課題】
本発明は次の課題を解決するものである。
１、　電磁波のエネルギーは何で決定されるか。
２、　電磁波の波長の原点はなにか。
３、　原子の中で光子が回転する軌道のエネルギーは一定である。
４、　陽子、中間子、中性子の中で光子が回転する軌道のエネルギーは一定である。
５、　ニュートリノのエネルギーと波長はどれだけか。
６、　γ線のエネルギーと波長はどれだけか。
７、　ラブの大きさはどれ位か。
８、　ラブの軌道エネルギーはどれだけか。
９、　ビッグバンの波長はどれ位であったのか。
１０、ビッグバンの波長は１５０億年間に何倍に伸びたか。
１１、ブラックホールの引力とビッグバンの引力。
１２、ビッグバンのエネルギーはブラックホールのエネルギーの何倍か。
【０００４】
【課題を解決するための手段】
上記課題を解決するために、本発明者は電磁波の波動によってエネルギーが異なる事から、波動の原因となる回転の直径が電磁力を作ると考えた。そして、回転軌道に一定のエネルギーがあると考えた。
【０００５】
【発明の実施形態】
１、　電磁波のエネルギーは何で決まるか。
電磁波のエネルギーは光子が回転する直径で決まる。
２、　電磁波の波長の原点はなにか。
電磁波の波長の原点は光子の回転であり、波長は光子が回転する直径の２倍である。
３と４、原子の中で光子は回転している。陽子、中間子、中性子の中で光は回転している。光子が回転する軌道は直径が一定である。それによって、軌道は一定のエネルギーを作る場である。“原子の中で光子が回転する軌道のエネルギーは一定である。”“陽子、中間子、中性子の中で光子が回転する軌道のエネルギーは一定である。”
軌道のエネルギーは次のように算出できる。
ド・フロイの式により、ｍ＝ｈ／ｖλ
ｈ＝プランク定数＝６．６２×１０−３４Ｊ
ｖ＝光速＝３×１０７ｍ
λ＝波長＝２×軌道の直径
原子の外側を光子は回転している。軌道の直径を１０−１０ｍとすると、その軌道のエネルギーは、
ｍ＝６．６２×１０−３４／（３×１０７×２×１０−１０）＝１．１×１０−３１（Ｊ）
１．１×１０−３１Ｊであり、
その軌道上を回転する光子のエネルギーは１．１×１０−３１Ｊである。
原子核の周囲を光子は回転している。軌道の直径を１０−１４ｍとすると、その軌道のエネルギーは、
ｍ＝６．６２×１０−３４／（３×１０７×２×１０−１４）＝１．１×１０−２７（Ｊ）
１．１×１０−２７Ｊである。
その軌道上を回転する光子のエネルギーは１．１×１０−２７Ｊである。
同様に、
陽子の場合は、軌道の直径を１０−１７ｍとすると、その軌道のエネルギーは、
ｍ＝６．６２×１０−３４／（３×１０７×２×１０−１７）＝１．１×１０−２４（Ｊ）
１．１×１０−２４Ｊである。
そして、その軌道を回転している光子のエネルギーは１．１×１０−２４Ｊである。
陽子の中の軌道の直径が１０−１８ｍとすると、その軌道エネルギーは１．１×１０−２３Ｊである。
そして、その軌道を回転している光子のエネルギーは１．１×１０−２３Ｊである。
このように、光子は一定の軌道上を回転していて、その軌道は一定のエネルギーを持っている。
一定のエネルギーを持っている軌道を回転する光子は一定のエネルギーを持って回転する。
軌道が１００億分の１ｍ狭くなると、その軌道のエネルギーは１０倍になる。
５、ニュートリノの波長とエネルギーはどれだけか。
ニュートリノは陽子、中間子、中性子、電子の中で回転している光子が外に出たものである。それで、回転していた軌道のエネルギーを持っている。外に出た直後のエネルギーは回転していたエネルギーである。波長は直径の２倍となっている。
例えば、陽子の中で直径１０−１７ｍの軌道で回転していた光子が飛び出した直後のニュートリノは１．１×１０−２４Ｊのエネルギーで波長は２×１０−１７ｍです。
例えば、陽子の中で直径１０−１８ｍの軌道で回転していた光子が飛び出したニュートリノは１．１×１０−２３Ｊのエネルギーで波長は２×１０−１８ｍです。
それで、ニュートリノのエネルギーと波長は回転していた軌道によって異なる。そして、飛行時間と共にエネルギーは減少し、波長は伸びます。
６、γ線のエネルギーと波長についての説明は
【請求項６】に記載したとうりである。
７、ラブの大きさはどれ位か。
ラブの大きさはラブの波長によって計算できる。
ド・フロイの式から、
ラブの質量は１．５７５×１０−２４ｇで、速度は１５万ｋｍとする。
光子の質量は７×１０−４８ｇで、速度は３０万ｋｍとする。
λ１＝光子の波長＝０．５×１０−４ｃｍ　　λ２＝ラブの波長とする。
ｖ＝ｈ／ｍλ
３×１０７＝ｈ／７×１０−４８×λ１
１．５×１０７＝ｈ／１．５７５×１０−２４×λ２
１．５７５×１０−２４＝Ａとおくと、（１．５７５×１０−２４）２＝Ａ２＝２．２５×１０−４８　７×１０−４８＝３×Ａ２よって、▲１▼　３×１０７＝ｈ／３Ａ２×λ１　▲２▼　１．５×１０７＝ｈ／Ａ×λ２
▲１▼□　よりｈ＝３×１０７×３Ａ２×λ１　　　▲２▼よりｈ＝１．５×１０７×Ａ×λ２
λ２＝６×１．５７５×１０−２４×０．５×１０−４＝４．７２５×１０−２８（ｃｍ）
ラブの波長は４．７２５×１０−２８ｃｍでラブの大きさ（回転直径）は２．３６×１０−２８ｃｍです。
８、ラブの軌道エネルギーはどれだけか。
ｍ＝ｈ／ｖλ　から、ｖは光速の半分で１５万ｋｍとする。λ＝４．７２５×１０−３０ｍ。
ｍ＝６．６２×１０−３４／（１．５×１０７×４．７２５×１０−３０）＝０．９６×１０−１１（Ｊ）
ラブの軌道エネルギーは０．９６×１０−１１Ｊです。
９、ビッグバンの波長はどれ位であったか。
ラブはビッグバンの以前の球の中でできました。それでラブのエネルギーと波長はビッグバンの以前の球に近いです。それで、ビッグバンの波長は４．７２５×１０−２８ｃｍであると考えます。でも、真実はこの値は伸びた長さで、本当はもっと小さいかもしれません。
１０、ビッグバンの波長は１５０億年間に何倍に伸びたか。
今、ビッグバンの波長は２ｍｍであるといいますから、
０．２÷（４．７２５×１０−２８）＝４．２３×１０２６（倍）
４．２３×１０２６倍に伸びた。
１１、ブラックホールの引力とビッグバンの引力
ブラックホールのエネルギーは中性子の大きさが１．４×１０−９倍に成ったものです。
ラブの大きさは中性子の大きさが１０−２８ｃｍになったものです。これは中性子の大きさが何倍になったものか。
１０−２８÷１０−１８＝１０−１５（倍）　　１０−１５倍です。
このことはビッグバンの引力はブラックホールの引力の
１０−９÷１０−１５＝１０６（倍）　　　１０６倍です。
１２、ビッグバンのエネルギーはブラックホールのエネルギーの何倍か。
光子の１個のエネルギーは６．６７×１０−３４Ｊであり、引力は２．４７×１０−６１Ｎです。
エネルギーは引力の６．６７×１０−３４÷２．４７×１０−６１＝２．７×１０２７（倍）
このことはビッグバンのエネルギーはブラックホールのエネルギーの
１０６×１０２７＝１０３３（倍）　　　　１０３３倍である。
【０００６】
【発明の効果】
電磁波は光子の回転によってできる。電磁波の波長が短いものほど高エネルギーである。γ線は原子核の周囲を回転していた光子である。γ線のエネルギーは原子核の周囲の軌道のエネルギーであると理解できる。光子は一定の軌道を回転し一定のエネルギーで回転している。原子の中には光子が回転する軌道があり、その軌道は一定のエネルギーをもっている。光子は軌道を回転することによって一定のエネルギーを持つ。このように考え、原子軌道エネルギーマップと陽子軌道エネルギーマップができた。そしてド・フロイの式からラブの大きさが解り、ビッグバンの波長と引力とエネルギーの大きさをブラックホールと対比させて理解できた。
【図面の簡単な説明】
【図１】波長は直径の２倍である。
【図２】光子が回転する軌道は直径が一定である。それによって軌道は一定のエネルギーを作る場である。
【図３】原子軌道エネルギーマップ。
【図４】陽子軌道エネルギーマップ。
【図５】ブラックホールの引力とビッグバンの以前の球の引力。
【符号の説明】
１　直径　　　２　波長　　　３　原子　　　４　電子　　　５　陽子
６　中性子　　　７　中間子　　　８　ラブ　　９　ブラックホールの引力
１０　ビッグバンの以前の引力
【図１】
2004032973.tif 000003
【図２】
2004032973.tif 000004
【図３】
2004032973.tif 000005
【図４】
2004032973.tif 000006
【図５】
2004032973.tif 000007